(57)【要約】【課題】エレベータの伝送システムの親局と子局の間でのエレベータ制御用データの通信処理の効率を向上させる。【解決手段】伝送親局２は、アドレス、第１の動作モード識別情報、第２の動作モード識別情報、および子局への送信用データを伝送用情報として送信する。子局は親局からのアドレスが自局に割当てられたアドレスであると、第１，第２の動作モード識別情報をもとに、自局の第１の動作モードを受信モードに設定して、自局の第２の動作モードを送信モードに設定する。これにしたがい、子局は、親局からのデータを受信した後で、予め記憶される呼び情報などのデータを親局に送信する。親局は、自局の第２の動作モードを受信モードに設定し、子局からのデータを受信する。【選択図】      図１
2008265927.tif 000002
【特許請求の範囲】
【請求項１】
親局と複数の子局とを有するシステムであって、
前記親局は、
エレベータ制御用データの送受信先の子局に対応する単一の識別アドレスに、当該子局に行わせる前記エレベータ制御用データに関する複数の通信処理種別のそれぞれを示す通信種別情報を付して送信する送信手段とを備え、
前記子局は、
前記親局の送信手段により送信された情報を受信する受信手段と、
前記受信手段により受信した前記親局からの識別アドレスが自局に割り当てられたアドレスである場合に、前記受信した通信種別情報を参照して実行対象のそれぞれの通信処理種別を判別する判別手段と、
前記判別手段により判別したそれぞれの種別の通信処理を前記親局との間で実行する通信処理手段と
を備えたことを特徴とするエレベータ伝送システム。
【請求項２】
前記親局の送信手段は、
当該親局からのエレベータ制御用データの受信処理を行なわせる子局に当該受信させるデータを前記アドレスや通信種別情報と区分してさらに送信し、
前記送信手段により送信する通信種別情報に前記受信処理を示す情報が示され、
前記子局の通信処理手段は、
前記判別手段により判別した通信種別が受信処理である場合には、当該親局の送信手段により送信されたエレベーや制御用データを受信する
ことを特徴とする請求項１に記載のエレベータ伝送システム。
【請求項３】
前記子局は、前記親局へのエレベータ制御用データを記憶する記憶手段をさらに備え、
前記子局の通信処理手段は、
前記判別手段により判別した通信種別が前記親局へのエレベータ制御用データの送信処理である場合には、前記記憶手段に記憶されたエレベータ制御用データを当該親局に送信する
ことを特徴とする請求項１に記載のエレベータ伝送システム。
【請求項４】
前記子局は、
前記受信手段により受信した前記親局からの識別アドレスが自局に割り当てられたアドレスである場合で、前記受信した通信種別情報で示される通信処理が親局からのエレベータ制御用データの受信処理である場合で、予め定められた時間が経過しても前記通信処理手段が前記親局からのエレベータ制御用データを受信できない場合に、通信の失敗と判断する判断手段をさらに備えた
ことを特徴とする請求項１に記載のエレベータ伝送システム。
【請求項５】
前記親局は、
前記送信手段による送信後に、予め定められた時間が経過しても当該送信先の子局からのエレベータ制御用データを受信できない場合に、通信の失敗と判断する判断手段をさらに備えた
ことを特徴とする請求項１に記載のエレベータ伝送システム。
【請求項６】
前記子局の受信手段が受信する情報における予め区分された情報には前記親局と当該子局の間の通信順序情報が含まれ、
前記子局は、
前記判別手段により判別した通信種別が受信処理である場合で、当該親局から送信された情報を受信した際に、前記区分された情報の送信順序情報を参照して現在の通信順序を判別する判別手段をさらに備えた
ことを特徴とする請求項１に記載のエレベータ伝送システム。
【請求項７】
前記子局が送信処理により前記親局に送信するエレベータ制御用データにおける予め区分された情報には前記親局と当該子局の間の通信順序情報が含まれ、
前記親局は、
前記子局から送信されたエレベータ制御用データを受信した際に、前記区分された情報の送信順序情報を参照して現在の通信順序を判別する判別手段をさらに備えた
ことを特徴とする請求項１に記載のエレベータ伝送システム。
【発明の詳細な説明】
【技術分野】
【０００１】
本発明は、伝送親局と伝送子局を有するエレベータ伝送システムに関する。
【背景技術】
【０００２】
従来、近年のエレベータシステムでは、乗りかごに設置されるかご制御装置や、各乗場に設置される乗場制御装置などのそれぞれの機器にマイクロコンピュータを使用し、かご制御装置や乗場制御装置に接続される呼びを登録するための入力装置や、同じく接続されるエレベータの運転状態を表示出力のための出力装置などを制御するとともに、かご制御装置や乗場制御装置はエレベータの運行を制御する主制御装置との間を、伝送動作を制御する伝送親局を介して伝送路でシリアル伝送で接続することで、制御の分散と配線本数の削減を実現している。
【０００３】
これらのかご制御装置や乗場制御装置はエレベータシステム内に複数設置されるため、主制御装置とのエレベータ制御用データの伝送は、主制御装置側に接続され伝送動作を制御する伝送競局を介して、パーティーラインと呼ばれる接続方式でシステムが構成される場合が多い。
【０００４】
このような構成の場合、同一伝送路上にある各子局には各々一意的な識別番号即ち識別アドレスを持つことで、データの衝突などのエラーを回避するようにしている。このシリアル伝送をエレベータ制御用データの伝送として使用する場合、手順が簡単で応答性のよいスキャン伝送方式が一般的に用いられることが多い。
【０００５】
このスキャン伝送方式では、親局が送信する識別アドレスに対する子局側の応答として、子局がエレベータ制御用データを返信する場合と、または親局が送信する識別アドレスに続いて送信するエレベータ制御用データを子局が受信する場合の動作が予め決定されており、仮想的にはシステム全体が仮想メモリ領域を持ち、各機器はそれぞれ割り当てられたアドレスにデータを書き込んでいくものである（例えば、特許文献１参照）。
【特許文献１】特許第３４６２７５６号公報
【発明の開示】
【発明が解決しようとする課題】
【０００６】
前述した方式での識別アドレスは、例えば８ビットのデータによりアドレスを表現する方法とした場合、２５６アドレスを利用可能であり、１つの子局に対して１つの応答を割り付けた場合は最大で２５６の子局を接続することが可能となる。
【０００７】
しかし、実際のシステムでは、１つの子局に対して送信用のアドレスと受信用のアドレスそれぞれ別に割り付けられるのが普通であり、例えば、１つの子局に対して送信用と受信用としてそれぞれ１つのアドレス、つまり合計２アドレスを割り付けた場合、１バイトデータによるアドレス表現では接続可能な子局の数は１２８までとなり、接続可能な子局の数が半減することとなる。
【０００８】
近年のエレベータシステムは、設置されるビルの高階床化や各種セキュリティ機能などにあわせ子局となる機器も増加する傾向であり、各装置に割り付けられるアドレスの不足が懸念される。
【０００９】
これに対応する手段として、例えばアドレスを８ビットよりも大きいデータで表現することで、割付可能なアドレス数、つまり子局の数を増やす方法が考えられるが、そのためにはそれまで使用していた識別アドレスのデータを含むデータフォーマットを変更する必要があり、識別アドレスの解析手段の変更など既存のデータ送受信手段に対して互換性を保つことができなくなる問題があった。
【００１０】
そこで、本発明の目的は、親局と子局の間でのエレベータ制御用データの通信処理の効率を向上させることが可能になるエレベータ伝送システムを提供することにある。
【課題を解決するための手段】
【００１１】
すなわち、本発明に係わるエレベータ伝送システムは、親局と複数の子局とを有するシステムであって、親局は、エレベータ制御用データの送受信先の子局に対応する単一の識別アドレスに、当該子局に行わせるエレベータ制御用データに関する複数の通信処理種別のそれぞれを示す通信種別情報を付して送信する送信手段とを備え、子局は、親局の送信手段により送信された情報を受信し、この受信した親局からの識別アドレスが自局に割り当てられたアドレスである場合に、受信した通信種別情報を参照して実行対象のそれぞれの通信処理種別を判別し、この判別したそれぞれの種別の通信処理を親局との間で実行することを特徴とする。
【発明の効果】
【００１２】
本発明によれば、親局と子局の間でのエレベータ制御用データの通信処理の効率を向上させることができる。
【発明を実施するための最良の形態】
【００１３】
以下図面により本発明の実施形態について説明する。  
図１は、本発明の実施形態にしたがったエレベータ伝送システムの構成概略図である。
【００１４】
このエレベータ伝送システムでは、親局として、エレベータ主制御装置１およびこれと接続されて通信処理を担う通信装置である伝送親局２が設けられ、子局として、かご制御装置４および各階の乗場制御装置５ａ，５ｂ，５ｃ，・・・，５ｎが設けられる。
【００１５】
エレベータ主制御装置１は、複数の階床をサービスするように図示しない乗りかごの運行を制御する。かご制御装置４は、行き先階登録などの、乗りかごに関する処理を行なう。乗場制御装置５ａ，５ｂ，５ｃ，・・・，５ｎは、乗場呼びに対する処理を行う。
【００１６】
伝送親局２、かご制御装置４、乗場制御装置５ａ，５ｂ，５ｃ，・・・，５ｎとの間は伝送路３を介して接続され、エレベータ制御用データ、つまり呼び情報など、乗りかごの運転に必要なデータの送受信を行なう。
【００１７】
かご制御装置４、乗場制御装置５ａ，５ｂ，５ｃ，・・・，５ｎには入力装置６や出力装置７が接続される。以後、各階の乗場制御装置５ａ，５ｂ，５ｃ，・・・，５ｎを、単に乗場制御装置５と称する。
【００１８】
ここではかご制御装置４側の入力装置６は行先階登録釦であり、かご制御装置４側の出力装置７は行先階登録釦の表示灯である。また、各階の乗場側の入力装置６は乗場呼び釦であり、出力装置７は乗場呼び釦の表示灯である。
【００１９】
図２は、本発明の実施形態にしたがったエレベータ伝送システムの子局の機器の内部構成例を示すブロック図である。  
図２は、かご制御装置４の内部構成を示す図である。かご制御装置４は、通信処理全体の制御を司る通信処理手段である通信制御部１１、アドレス判別部１２、判別手段である動作モード判別部１３、子局の記憶手段である記憶装置１４、子局の受信手段である通信インタフェース１５を備える。
【００２０】
記憶装置１４は、例えば不揮発性メモリなどの記憶媒体であり、設定情報記憶部２１および送信データ記憶部２２を備える。  
通信インタフェース１５は、伝送路３、入力装置６および出力装置７と接続される。
【００２１】
設定情報記憶部２１は、親局からの識別アドレスをもとに通信処理を行なうか否かの判別、および当該通信処理を行なう場合の種別の判別の為の動作モード設定情報を記憶する。
【００２２】
送信データ記憶部２２は、親局に送信するためのエレベータ制御用データ、例えば呼び情報を記憶する。  
図２はかご制御装置４の内部を示したものであるが、乗場制御装置５も同様の構成を有する。
【００２３】
ここで、本発明の特徴の理解を容易にするために、まず、従来のエレベータ伝送システムの処理動作について説明する。  
この従来のエレベータ伝送システムの構成は図１および図２に示した構成とほぼ同様であるが、設定情報記憶部２１に記憶される動作モード設定情報の内容、およびこの内容に基づく各種処理が本発明の特徴と異なる。
【００２４】
図３は、従来のエレベータ伝送システムの親局および子局の動作モード設定情報の一例を表形式で示す図である。  
この動作モード設定情報は、複数あるアドレス情報のそれぞれに対し、１対１で通信を行なう親局と子局の動作モードを示す情報である。動作モードとは、通信相手となる親局または子局との間での通信処理の種別がエレベータ制御用データの送信処理であるか受信処理であるかを示す情報である。  
この動作モード設定情報は、アドレスに対して、送信処理を行なう親局または子局が同時に２つ以上とならないような設定となっている。
【００２５】
ここでは、伝送親局２は、内部メモリに図３で示した動作モード設定情報を記憶する。また、かご制御装置４や乗場制御装置５も、図３で示した動作モード設定情報を記憶する。図３で示した子局Ａとはかご制御装置４であり、子局Ｂ，・・・，子局Ｎは、１階，２階，・・・，Ｎ階の乗場制御装置５である。
【００２６】
図３に示した例では、アドレスは１６進数２桁の値で示される。この例では、アドレス「００」の「親局動作設定」の「送信モード（親局→子局Ａ）」は、親局はアドレス「００」の送信時は、動作モードを子局Ａへのエレベータ制御用データの送信モードとする事を意味する。
【００２７】
また、アドレス「００」の「子局Ａ動作設定」の「受信モード（親局→子局Ａ）」は、子局Ａは、親局からのアドレス「００」の受信時は、動作モードを親局からのエレベータ制御用データの受信モードとすることを意味する。
【００２８】
また、アドレス「０１」の「親局動作設定」の「受信モード（子局Ａ→親局）」は、親局はアドレス「０１」の送信時は、動作モードを子局Ａからのデータの受信モードとする事を意味する。
【００２９】
また、アドレス「０１」の「子局Ａ動作設定」の「送信モード（子局Ａ→親局）」は、子局Ａは、親局からのアドレス「０１」の受信時は、動作モードを親局へのエレベータ制御用データの送信モードとすることを意味する。
【００３０】
親局は、自局の動作モードを送信モードとした場合には、アドレスに加え、子局へ指示するための動作モード識別情報、および送信用のエレベータ制御用データを当該子局に送信する。動作モード識別情報は「０」または「１」で表され、子局に送信モードを指示する場合は「０」、受信モードを指示する場合は「１」となる。以下、エレベータ制御用データを単にデータと称する。
【００３１】
子局は、自局の動作モードを送信モードとした場合には、親局への送信用のデータを当該親局に送信する。  
また、親局は、自局の動作モードを受信モードとした場合には、子局からのデータを受信する。子局は、自局の動作モードを受信モードとした場合には、親局からのアドレスに引き続いて、当該親局からのデータを受信する。
【００３２】
図４は、従来のエレベータ伝送システムの親局と子局間の伝送処理動作の一例を示すフローチャートである。  
図５は、従来のエレベータ伝送システムの親局と子局間の各種送信フレームおよび受信フレームの一例を示す図である。  
図５に示した「Ａ００」は、親局から子局Ａに送信するアドレス「００」であり、「Ｄ００」は親局から子局Ａへの送信用データである。
【００３３】
図５に示した「Ａ０１」は、親局から子局Ａに送信するアドレス「０１」であり、「Ｄ０１」は子局Ａから親局への送信用データである。
【００３４】
図５に示した「Ａ０２」は、親局から子局Ｂに送信するアドレス「０２」であり、「Ｄ０２」は親局から子局Ｂへの送信用データである。  
図５に示した「Ａ０３」は、親局から子局Ｂに送信するアドレス「０３」であり、「Ｄ０３」は子局Ｂから親局への送信用データである。
【００３５】
また、図５に示したアドレスやデータを示す識別子のうち、実線で囲まれた識別子は、対応する親局や子局の間で実際の送受信に用いられる情報の識別子である。また、点線で囲まれた識別子は、対応する親局や子局の間での送受信しないまたは無視する情報の識別子である。
【００３６】
伝送親局２は、予め定められた伝送周期により、子局Ａ，子局Ｂ，子局Ｃ，…，子局Ｎの順番で、当該子局との間で通信を行なう。  
伝送親局２は、動作モード設定情報の内容が図３に示した内容である場合で子局Ａとの間でデータの送受信を行なう場合には、内部メモリに記憶される、当該図３に示した動作モード設定情報を読み出し、自局の動作モードを子局Ａへのデータの送信モードに設定し、動作モードの「送信モード（親局→子局Ａ）」が対応するアドレス「００」を検索し、このアドレス「００」および、受信モードを子局Ａに指示するための動作モード識別情報である「１」、および内部メモリに記憶される送信用データを伝送用情報として伝送路３を介して子局Ａに送信する（ステップＳ１）。
【００３７】
ここでは、伝送親局２は、通信相手となる子局および当該子局の通信処理の種別を予め決めた上で、この通信相手および通信処理の種別に係わるアドレスを検索すると説明したが、子局に送信するアドレスの順番のみを予め定めて、このアドレスと図３に示した動作モード設定情報を照合することで、通信相手の子局と通信処理の種別を特定して、アドレス、動作モード識別情報に加えて送信用データを必要に応じて送信してもよい。
【００３８】
子局Ａであるかご制御装置４の通信インタフェース１５が伝送親局２からの伝送用情報を受信すると（ステップＳ２）、アドレス判別部１２は、この情報に含まれるアドレスを取得し、このアドレスと記憶装置１４の設定情報記憶部２１に記憶される動作モード設定情報を照合することで、受信したアドレスが自局に割当てられるアドレスであるか否かを判別する（ステップＳ３）。
【００３９】
自局に割当てられるアドレスとは、動作モード設定情報のアドレスのうち、自局が係わる動作モードが設定されているアドレスである。図３に示した例では、子局Ａが係わる動作モードが設定されているアドレスは「００」と「０１」であるので、これらのアドレスが子局Ａに割当てられるアドレスとなる。
【００４０】
前述したように、受信したアドレスが「００」である場合には、アドレス判別部１２は、このアドレスが自局の割当てアドレスであると判別する（ステップＳ４のＹＥＳ）。  
一方、受信したアドレスが、前述した割当てられたアドレス「００」、「０１」以外である場合には、他局との通信処理のためのアドレスであるとして無視する（ステップＳ４のＮＯ）。
【００４１】
アドレス判別部１２がステップＳ４の処理で「ＹＥＳ」と判別した場合には、動作モード判別部１３は、親局から受信済みのアドレスに連なる動作モード識別情報の値を判別することで、自局が設定すべき動作モードを判別する（ステップＳ５）。
【００４２】
前述したように、アドレスに連なる動作モード識別情報の値が「１」である場合は、動作モード判別部１３は、自局である子局Ａが設定すべき動作モードが親局からのデータの受信モードであると判別する（ステップＳ６のＹＥＳ）。
【００４３】
この場合、通信制御部１１は、動作モードを受信モードに設定し、親局からのアドレスや動作モード識別情報に連なる送信用データを通信インタフェース１５を介して取得し（ステップＳ７）、記憶装置１４に記憶する。
【００４４】
また、親局からのアドレスが図３に示した「０１」で、動作モード識別情報が「０」である場合には、アドレス判別部１２は、このアドレスが自局の割当てアドレスであると判別し、さらに、動作モード判別部１３は、自局である子局Ａが設定すべき動作モードが親局へのデータの送信モードであると判別する（ステップＳ６のＮＯ→ステップＳ８）。
【００４５】
この場合、通信制御部１１は、記憶装置１４の送信データ記憶部２２に記憶されるデータを読み出し、このデータを通信インタフェース１５を介して親局に送信する（ステップＳ９）。伝送親局２は、子局Ａにアドレス「０１」を送信した場合には、図３に示した動作モード設定情報にしたがって、自局の動作モードを受信モードに設定しており、子局Ａからのデータを受信すると、これを主制御装置１に出力する（ステップＳ１０）。
【００４６】
以降は、親局がアドレス「０２」，「０３」…を送信し、そのアドレスに対する動作モード設定情報に従い、親局ならびに各子局はデータの送信または受信動作を繰り返し、この動作は識別アドレスの最終値、例えばアドレスの領域が８ビットで表現できる２５６アドレス分であれば、「ｆｆ」まで繰り返す。
【００４７】
このように、従来のシステムでは、親局からのアドレス送信とともに、子局は親局との間のデータの送信処理または受信処理を行なうが、親局からの一度のアドレス送信にしたがって、アドレス受信した子局が行なえる通信処理は１種類である。
【００４８】
次に、本発明の実施形態にしたがったエレベータ伝送システムの動作について説明する。本発明の実施形態にしたがったエレベータ伝送システムは、親局からの単一のアドレス送信にしたがって、親局と子局との間で複数の通信処理を行なうことを特徴としている。
【００４９】
図６は、本発明の実施形態にしたがったエレベータ伝送システムの親局および子局の動作モード設定情報の一例を表形式で示す図である。  
図６に示した例では、図３に示した従来の例と異なり、あるアドレスの親局または各子局に係わる動作モードが「データ群ａ」および「データ群ｂ」の２種類存在する。この動作モード設定情報は、図３に示した動作モード設定情報と同様に、アドレスに対して、送信動作を行なう親局または子局が同時に２つ以上とならないような設定となっている。
【００５０】
この例では、アドレス「００」の「親局動作設定」の「データ群ａ」の「送信モード（親局→子局Ａ）」は、親局はアドレス「００」の送信後の第１の動作モードを子局Ａへのデータの送信モードとする事を意味する。
【００５１】
また、同じアドレス「００」の「親局動作設定」の「データ群ｂ」の「受信モード（子局Ａ→親局）」は、親局はアドレス「００」の送信後の第２の動作モードを子局Ａからのデータの受信モードとする事を意味する。
【００５２】
また、アドレス「００」の「子局Ａ動作設定」の「データ群ａ」の「受信モード（親局→子局Ａ）」は、子局Ａはアドレス「００」の受信後の第１の動作モードを親局からのデータの受信モードとする事を意味する。
【００５３】
また、同じアドレス「００」の「子局Ａ動作設定」の「データ群ｂ」の「送信モード（子局Ａ→親局）」は、子局Ａはアドレス「００」の受信後の第２の動作モードを親局へのデータの送信モードとする事を意味する。
【００５４】
図７は、本発明の実施形態にしたがったエレベータ伝送システムの親局と子局間の伝送処理動作の一例を示すフローチャートである。  
図８は、本発明の実施形態にしたがったエレベータ伝送システムの親局と子局間の各種送信フレームおよび受信フレームの一例を示す図である。
【００５５】
図８に示した「Ａ００」は、親局から子局Ａに送信するアドレス「００」であり、「Ｄ００ａ」は親局から子局Ａへの送信用データであり、「Ｄ００ｂ」は子局Ａから親局への送信用データである。
【００５６】
図８に示した「Ａ０１」は、親局から子局Ｂに送信するアドレス「０１」であり、「Ｄ０１ａ」は親局から子局Ｂへの送信用データであり、「Ｄ０１ｂ」は子局Ｂから親局への送信用データである。
【００５７】
図８に示した「Ａ０２」は、親局から子局Ｃに送信するアドレス「０２」であり、「Ｄ０２ａ」は親局から子局Ｃへの送信用データであり、「Ｄ０２ｂ」は子局Ｃから親局への送信用データである。
【００５８】
図８に示した「Ａ０３」は、親局から子局Ｄに送信するアドレス「０３」であり、「Ｄ０３ａ」は親局から子局Ｄへの送信用データであり、「Ｄ０３ｂ」は子局Ｄから親局への送信用データである。
【００５９】
伝送親局２は、予め定められた伝送周期により、子局Ａ，子局Ｂ，子局Ｃ，…，子局Ｎの順番で、当該子局との間で通信を行なう。  
伝送親局２は、動作モード設定情報の内容が図６に示した内容である場合で子局Ａとの間でデータの送受信を行なう場合には、内部メモリに記憶される、当該図６に示した動作モード設定情報を読み出し、自局の第１の動作モードを子局Ａへのデータの送信モードに設定して、動作モードの「送信モード（親局→子局Ａ）」および「受信モード（子局Ａ→親局）」が対応するアドレス「００」を検索し、このアドレス「００」および、子局Ａに受信モードを指示するための第１の動作モード識別情報である「１」、子局Ａにさらに送信モードを指示するための第２の動作モード識別情報である「０」、および内部メモリに記憶される送信用データを伝送用情報として伝送路３を介して子局Ａに送信する（ステップＳ２１）。
【００６０】
ここでは、伝送親局２は、通信相手となる子局および当該子局の通信処理の種別を予め決めた上で、この通信相手および通信処理の種別に係わるアドレスを検索すると説明したが、子局に送信するアドレスの順番のみを予め定めて、このアドレスと図６に示した動作モード設定情報を照合することで、通信相手の子局と通信処理の種別を特定して、アドレス、第１の動作モード識別情報、第２の動作モード識別情報に加えて必要に応じて送信用データを送信してもよい。
【００６１】
子局Ａであるかご制御装置４の通信インタフェース１５が、伝送親局２からの伝送用情報を受信すると（ステップＳ２２）、アドレス判別部１２は、この情報に含まれるアドレスを取得し、このアドレスと記憶装置１４の設定情報記憶部２１に記憶される動作モード設定情報を照合することで、受信したアドレスが自局に割当てられるアドレスであるか否かを判別する（ステップＳ２３）。  
図６に示した例では、子局Ａが係わる動作モードが設定されているアドレスは「００」であるので、このアドレスが子局Ａに割当てられるアドレスとなる。
【００６２】
前述したように、受信したアドレスが「００」である場合には、アドレス判別部１２は、このアドレスが自局の割当てアドレスであると判別する（ステップＳ２４のＹＥＳ）。  
一方、受信したアドレスが、前述した割当てられたアドレス「００」以外である場合には、他局との通信処理のためのアドレスであるとして無視する（ステップＳ２４のＮＯ）。
【００６３】
アドレス判別部１２がステップＳ２４の処理で「ＹＥＳ」と判別した場合には、動作モード判別部１３は、親局から受信済みのアドレスに連なる第１，第２の動作モード識別情報の値を判別することで、自局が設定すべき第１の動作モード及び第２の動作モードをそれぞれ判別する（ステップＳ２５）。
【００６４】
前述したように、アドレスに連なる第１の動作モード識別情報の値が「１」である場合は、動作モード判別部１３は、自局である子局Ａが設定すべき第１の動作モードが親局からのデータの受信モードであると判別する（ステップＳ２６のＹＥＳ）。
【００６５】
この場合、通信制御部１１は、自局の第１の動作モードを親局からのデータの受信モードに設定し、親局からのアドレスや動作モード識別情報に連なる送信用データを通信インタフェース１５を介して取得し（ステップＳ２７）、記憶装置１４に記憶する。
【００６６】
動作モード判別部１３は、通信制御部１１による送信又は受信処理がなされると、親局からの動作モード識別情報のうち動作モードの判別に用いていない情報がある場合（ステップＳ３１のＮＯ）には、この動作モード識別情報をもとに、次に設定すべき動作モードを判別する（ステップＳ３１→Ｓ２５）。
【００６７】
前述したように第２の動作モード識別情報の値が「０」である場合は、動作モード判別部１３は、子局Ａが設定すべき第２の動作モードが親局へのデータの送信モードであると判別する（ステップＳ２６のＮＯ→ステップＳ２８）。
【００６８】
この場合、通信制御部１１は、自局の第２の動作モードを親局へのデータの送信モードに設定し、記憶装置１４の送信データ記憶部２２に記憶されるデータを読み出し、このデータを通信インタフェース１５を介して親局に送信する（ステップＳ２９）。
【００６９】
伝送親局２は、子局Ａにアドレス「００」を送信した場合には、図６に示した動作モード設定情報にしたがって、アドレス送信後に、自局の動作モードを、第２の動作モードである子局からのデータの受信モードに設定しており、子局Ａからのデータを受信すると、これを主制御装置１に出力する（ステップＳ３０）。  
動作モード判別部１３がステップＳ３１の処理で「ＹＥＳ」と判別した場合には、親局と子局との間の通信処理が終了する。
【００７０】
以降は、親局がアドレス「０１」，「０２」，「０３」…を送信し、そのアドレスに対する動作モード設定情報に従い、親局ならびに各子局はデータの送受信動作を繰り返し、この動作は識別アドレスの最終値、例えばアドレスの領域が８ビットで表現できる２５６アドレス分であれば、「ｆｆ」まで繰り返す。
【００７１】
以上のように、本発明の実施形態にしたがったエレベータ伝送システムでは、親局から通信対象となる子局にアドレスを送信する際に、子局に指示するエレベータ制御用データに関する通信処理の種別の情報を複数種類とし、子局は、この情報で示されたそれぞれの種類の通信処理を親局との間で行なう構成としたので、従来、親局からの単一のアドレス送信により親局と子局との間で複数種類の通信処理を行なうことができる。
【００７２】
これにより、送受信データの量に対する識別アドレスの送信または受信の回数が低減でき、アドレスの解析回数も低減できるため、時間当たりの伝送情報量の増大が期待できる。
【００７３】
次に、本発明の実施形態にしたがったエレベータ伝送システムの変形例を説明する。  
図９は、本発明の実施形態にしたがったエレベータ伝送システムの親局および子局の動作モード設定情報の変形例を表形式で示す図である。  
図１０は、本発明の実施形態にしたがったエレベータ伝送システムの親局と子局間の各種送信フレームおよび受信フレームの変形例を示す図である。
【００７４】
図１０に示した「Ｄ００ａ」は子局Ａから親局への送信用データであり、「Ｄ００ｂ」は親局から子局Ａへの送信用データである。  
この変形例では、前述した例と異なり、動作モード設定情報の「親局動作設定」の「データ群ａ」の各アドレスの動作モードを受信モードとしており、「親局動作設定」の「データ群ｂ」の各アドレスの動作モードを送信モードとしている。
【００７５】
これにともなって、動作モード設定情報の各子局のうち例えば「子局Ａ動作設定」の「データ群ａ」の各アドレスの動作モードを送信モードとしており、「データ群ｂ」の各アドレスの動作モードを受信モードとしている。
【００７６】
つまり、図１０に示した例では、アドレス「００」の「親局動作設定」の「データ群ａ」の「受信モード（子局Ａ→親局）」は、親局はアドレス「００」の送信後の第１の動作モードを子局Ａからのデータの受信モードとする事を意味する。
【００７７】
また、同じアドレス「００」の「親局動作設定」の「データ群ｂ」の「送信モード（親局→子局Ａ）」は、親局はアドレス「００」の送信後の第２の動作モードを子局Ａへのデータの送信モードとする事を意味する。
【００７８】
また、同じアドレス「００」の「子局Ａ動作設定」の「データ群ａ」の「送信モード（子局Ａ→親局）」は、子局Ａはアドレス「００」の受信後の第１の動作モードを親局へのデータの送信モードとする事を意味する。
【００７９】
また、同じアドレス「００」の「子局Ａ動作設定」の「データ群ｂ」の「受信モード（親局→子局Ａ）」は、子局Ａはアドレス「００」の受信後の第２の動作モードを親局からのデータの受信モードとする事を意味する。
【００８０】
以上説明したように、この変形例では親局からのアドレス送信にともなって、子局から親局へのデータ送信処理を最初に行なって、次に親局から子局へのデータ送信処理を行なうことになる。
【００８１】
以上説明した実施形態では、親局から通信対象となる子局にアドレスを送信する際に、子局に指示する通信処理の種別を２種類としたが、これに限らず、動作モード設定情報の親局や各子局のデータ群の項目数を増やすことで、さらに多くの種類の通信処理を指示することができる。
【００８２】
また、前述した実施形態では、親局から通信対象となる子局にアドレスを送信する際に、子局に指示する通信処理をある子局へのデータ送信処理、および同一子局からのデータ受信処理としたが、親局から同じデータを異なる子局にそれぞれ送信するようにしてもよい。
【００８３】
具体的には、動作モード設定情報のアドレス「００」の「親局動作設定」の「データ群ａ」の動作モードを「送信モード（親局→子局Ａ）」とし、「データ群ｂ」の動作モードを「送信モード（親局→子局Ｂ）」とした上で、アドレス「００」の「子局Ａ動作設定」の「データ群ａ」の動作モードを「受信モード（親局→子局Ａ）」として、「データ群ｂ」の動作モードを「設定無し」とし、「子局Ｂ動作設定」の「データ群ａ」の動作モードを「設定無し」として、「データ群ｂ」の動作モードを「送信モード（親局→子局Ｂ）」とする。
【００８４】
この場合、親局からのアドレス「００」を受信した子局Ａは、第１の動作モードを親局からのデータの受信モードに設定し、第２の動作モードは設定しない。また、親局からのアドレス「００」を受信した子局Ｂは、第１の動作モードを設定せずに、第２の動作モードを親局からのデータの受信モードに設定する。
【００８５】
次に、本発明の実施形態にしたがったエレベータ伝送システムの親局による通信エラー判別処理について説明する。この処理は、親局および子局において、自局で実行すべき通信処理が受信処理である場合で、通信対象からのデータの通信エラーの有無を判別する処理である。
【００８６】
図１１は、本発明の実施形態にしたがったエレベータ伝送システムの親局による通信エラー判別処理の一例を示すフローチャートである。  
伝送親局２は、通信相手の子局にアドレスを送信した後（ステップＳ４１）、自局が構成した伝送用情報中の第１または第２の動作モード識別情報が送信モードを示す「０」である、つまり自局に設定する動作モードが子局からのデータ受信処理である場合には（ステップＳ４２のＹＥＳ）、経過時間のカウントを開始し、所定時間の経過前に子局からのデータを受信した場合（ステップＳ４３のＮＯ→ステップＳ４４のＹＥＳ）には、親局と子局との間の通信が正常であると判別する（ステップＳ４５）。
【００８７】
一方、伝送親局２は、子局からのデータを受信することなく所定の時間が経過した場合には（ステップＳ４３のＹＥＳ）、親局と子局との間の通信エラーが発生したと判別する（ステップＳ４６）。すると、伝送親局２は、次のアドレス送信までに受信したデータは無視する。このような構成とすることで、親局と子局間の通信エラーの発生を親局にて判別できる。
【００８８】
図１２は、本発明の実施形態にしたがったエレベータ伝送システムの子局による通信エラー判別処理の一例を示すフローチャートである。  
子局の通信制御部１１は、通信インタフェース１５を介して親局からの伝送用情報中のアドレスを受信した後（ステップＳ５１）、伝送用情報中のアドレスに続く第１または第２の動作モード識別情報が「１」である、つまり自局に設定する動作モードが親局からのデータ受信処理である場合には（ステップＳ５２のＹＥＳ）、経過時間のカウントを開始し、所定時間の経過前に親局からのデータを通信インタフェース１５が受信した場合（ステップＳ５３のＮＯ→ステップＳ５４のＹＥＳ）には、親局と子局との間の通信が正常であると判別する（ステップＳ５５）。
【００８９】
一方、通信制御部１１は、親局からのデータを通信インタフェース１５が受信することなく所定の時間が経過した場合には（ステップＳ５３のＹＥＳ）、親局と子局との間の通信エラーが発生したと判別する（ステップＳ５６）。以後、通信制御部１１は、次のアドレス送信まで通信インタフェース１５が受信したデータは無視する。このような構成とすることで、親局と子局間の通信エラーの発生を子局にて判別できる。
【００９０】
また、本発明の実施形態にしたがったエレベータ伝送システムは、呼び情報など、親局と子局間で送受信する伝送用情報を構成する各情報に、当該伝送用情報中の通信順序を示す情報を含めることができる。
【００９１】
例えば、前述したように親局からの伝送用情報が、アドレス、第１の動作モード識別情報、第２の動作モード識別情報、送信用データで構成される場合、第１の動作モード識別情報の前に１番目の通信順序を示す値が付され、第２の動作モード識別情報の前に２番目の通信順序を示す値が付される。送信用データを予め定められた単位で区切り、この区切った各単位に、３番目以降の通信順序を示す値を付されるとする。  
また、子局から親局にデータを送信する場合、送信用データを予め定められた単位で区切り、この区切った各単位に通信順序を示す値を付す。
【００９２】
受信側の局は、自局に設定する動作モードが受信モードであった場合、受信データに含まれる通信順序を示す情報をもとに各通信順序に対応する情報が欠落無く受信できているか否かを判別することができる。
【００９３】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００９４】
【図１】本発明の実施形態にしたがったエレベータ伝送システムの構成概略図。
【図２】本発明の実施形態にしたがったエレベータ伝送システムの子局の機器の内部構成例を示すブロック図。
【図３】従来のエレベータ伝送システムの親局および子局の動作モード設定情報の一例を表形式で示す図。
【図４】従来のエレベータ伝送システムの親局と子局間の伝送処理動作の一例を示すフローチャート。
【図５】従来のエレベータ伝送システムの親局と子局間の各種送信フレームおよび受信フレームの一例を示す図。
【図６】本発明の実施形態にしたがったエレベータ伝送システムの親局および子局の動作モード設定情報の一例を表形式で示す図。
【図７】本発明の実施形態にしたがったエレベータ伝送システムの親局と子局間の伝送処理動作の一例を示すフローチャート。
【図８】本発明の実施形態にしたがったエレベータ伝送システムの親局と子局間の各種送信フレームおよび受信フレームの一例を示す図。
【図９】本発明の実施形態にしたがったエレベータ伝送システムの親局および子局の動作モード設定情報の変形例を表形式で示す図。
【図１０】本発明の実施形態にしたがったエレベータ伝送システムの親局と子局間の各種送信フレームおよび受信フレームの変形例を示す図。
【図１１】本発明の実施形態にしたがったエレベータ伝送システムの親局による通信エラー判別処理の一例を示すフローチャート。
【図１２】本発明の実施形態にしたがったエレベータ伝送システムの子局による通信エラー判別処理の一例を示すフローチャート。
【符号の説明】
【００９５】
１…エレベータ主制御装置、２…伝送親局、３…伝送路、４…かご制御装置、５…乗場制御装置、６…入力装置、７…出力装置、１１…通信制御部、１２…アドレス判別部、１３…動作モード判別部、１４…記憶装置、１５…通信インタフェース、２１…動作設定情報記憶部、２２…送信データ記憶部。
【図１】
2008265927.tif 000003
【図２】
2008265927.tif 000004
【図３】
2008265927.tif 000005
【図４】
2008265927.tif 000006
【図５】
2008265927.tif 000007
【図６】
2008265927.tif 000008
【図７】
2008265927.tif 000009
【図８】
2008265927.tif 000010
【図９】
2008265927.tif 000011
【図１０】
2008265927.tif 000012
【図１１】
2008265927.tif 000013
【図１２】
2008265927.tif 000014